(57)【要約】    【課題】  高ズーム比で、全ズーム範囲にわたり、諸収差、特に色収差を良好に補正し全ズーム範囲において高い光学性能を有するズームレンズを得ること。    【解決手段】  最も物体側に正の屈折力の第１レンズ群と、第１レンズ群よりも像側に複数の負の屈折力のレンズ群と、開口絞りと、複数の負の屈折力のレンズ群のうち最も物体側に位置するレンズ群ＬＮよりも像側に正の屈折力のレンズ群ＬＡと、レンズ群ＬＡと開口絞りよりも像側に正又は負の屈折力のレンズ群ＬＢを有し、広角端から望遠端へのズーミングに際してレンズ群ＬＡとレンズ群ＬＢの間隔が広くなり、開口絞りとレンズ群ＬＢの間隔が広くなるズームレンズであって、レンズ群ＬＡは１以上の回折光学素子を有し、広角端における全系のパワーφw、望遠端における全系のパワーφt、レンズ群ＬＡの色収差補正力SUM(A)、レンズ群ＬＢの色収差補正力SUM(B)を各々適切に設定したこと。【選択図】    図１
2014089385.tif 000002
【特許請求の範囲】
【請求項１】
最も物体側に正の屈折力の第１レンズ群と、
前記第１レンズ群よりも像側に複数の負の屈折力のレンズ群と、開口絞りと、
前記複数の負の屈折力のレンズ群のうち最も物体側に位置するレンズ群ＬＮよりも像側に正の屈折力のレンズ群ＬＡと、
前記レンズ群ＬＡと前記開口絞りよりも像側に正又は負の屈折力のレンズ群ＬＢを有し、
広角端から望遠端へのズーミングに際して前記レンズ群ＬＡと前記レンズ群ＬＢの間隔が広くなり、前記開口絞りと前記レンズ群ＬＢの間隔が広くなるズームレンズであって、
前記レンズ群ＬＡは１以上の回折光学素子を有し、
広角端における全系のパワーをφw、望遠端における全系のパワーをφt、前記レンズ群ＬＡの色収差補正力をSUM(A)、前記レンズ群ＬＢの色収差補正力をSUM(B)とするとき、
-1.0×10-3＜SUM(A)×SUM(B)/(φw×φt)＜-1.0×10-6
0.1＜│SUM(A)/SUM(B)│＜6.0
なる条件式を満足することを特徴とするズームレンズ。
【請求項２】
広角端における前記レンズ群ＬＡと前記開口絞りのうち、最も物体側に位置する要素の最も物体側の面頂点から、前記レンズ群ＬＢの最も像側の面頂点までの距離をdLS、広角端におけるレンズ全長をdWTL、とするとき、
0.01＜dLS/dWTL＜0.30
なる条件式を満足することを特徴とする請求項１に記載のズームレンズ。
【請求項３】
広角端における、前記開口絞りから前記レンズ群ＬＢの最も物体側の面頂点までの距離をdWSB、望遠端における、前記開口絞りから前記レンズ群ＬＢの最も物体側の面頂点までの距離をdTSB、とするとき、
1.5＜dTSB/dWSB＜25.0
なる条件式を満足することを特徴とする請求項１又は２に記載のズームレンズ。
【請求項４】
広角端から望遠端へのズーミングに際して前記レンズ群ＬＡと前記開口絞りは物体側に、前記レンズ群ＬＢは像側に移動することを特徴とする請求項１乃至３のいずれか１項に記載のズームレンズ。
【請求項５】
前記第１レンズ群が有する正レンズの材料の平均屈折率と負レンズの材料の平均屈折率をそれぞれNav1P、Nav1N、前記レンズ群ＬＡが有する正レンズの材料の平均屈折率と負レンズの材料の平均屈折率をそれぞれNavAP、NavAN、とするとき、
1.48＜Nav1P＜2.2
1.70＜Nav1N＜2.5
1.55＜NavAP＜2.2
1.70＜NavAN＜2.5
なる条件式を満足することを特徴とする請求項１乃至４のいずれか１項に記載のズームレンズ。
【請求項６】
物体側から像側へ順に、
正の屈折力の第１レンズ群、負の屈折力の第２レンズ群、正の屈折力の第３レンズ群、負の屈折力の第４レンズ群、正の屈折力の第５レンズ群、負の屈折力の第６レンズ群よりなり、
ズーミングに際して前記第２レンズ群は不動で、それ以外のレンズ群が移動し、
前記レンズ群ＬＮは前記第２レンズ群に、前記レンズ群ＬＡは前記第３レンズ群に、前記レンズ群ＬＢは前記第４レンズ群に、それぞれ対応すること
を特徴とする請求項１乃至５のいずれか１項に記載のズームレンズ。
【請求項７】
物体側から像側へ順に、
正の屈折力の第１レンズ群、負の屈折力の第２レンズ群、正の屈折力の第３レンズ群、負の屈折力の第４レンズ群、正の屈折力の第５レンズ群、負の屈折力の第６レンズ群よりなり、
ズーミングに際して前記第３レンズ群は不動で、それ以外のレンズ群が移動し、
前記レンズ群ＬＮは前記第２レンズ群に、前記レンズ群ＬＡは前記第３レンズ群に、前記レンズ群ＬＢは前記第４レンズ群に、それぞれ対応すること
を特徴とする請求項１乃至５のいずれか１項に記載のズームレンズ。
【請求項８】
物体側から像側へ順に、
正の屈折力の第１レンズ群、負の屈折力の第２レンズ群、正の屈折力の第３レンズ群、正の屈折力の第４レンズ群、負の屈折力の第５レンズ群、正の屈折力の第６レンズ群、負の屈折力の第７レンズ群よりなり、
ズーミングに際して前記第２レンズ群と前記第５レンズ群は不動で、それ以外のレンズ群が移動し、
前記レンズ群ＬＮは前記第２レンズ群に、前記レンズ群ＬＡは前記第４レンズ群に、前記レンズ群ＬＢは前記第５レンズ群に、それぞれ対応すること
を特徴とする請求項１乃至５のいずれか１項に記載のズームレンズ。
【請求項９】
物体側から像側へ順に、
正の屈折力の第１レンズ群、負の屈折力の第２レンズ群、負の屈折力の第３レンズ群、正の屈折力の第４レンズ群、負の屈折力の第５レンズ群、正の屈折力の第６レンズ群、負の屈折力の第７レンズ群よりなり、
ズーミングに際して前記第３レンズ群は不動で、それ以外のレンズ群が移動し、
前記レンズ群ＬＮは前記第２レンズ群に、前記レンズ群ＬＡは前記第４レンズ群に、前記レンズ群ＬＢは前記第５レンズ群に、それぞれ対応すること
を特徴とする請求項１乃至５のいずれか１項に記載のズームレンズ。
【請求項１０】
物体側から像側へ順に、
正の屈折力の第１レンズ群、負の屈折力の第２レンズ群、正の屈折力の第３レンズ群、正の屈折力の第４レンズ群、負の屈折力の第５レンズ群、正の屈折力の第６レンズ群、負の屈折力の第７レンズ群よりなり、
ズーミングに際して前記第２レンズ群は不動で、それ以外のレンズ群が移動し、
前記レンズ群ＬＮは前記第２レンズ群に、前記レンズ群ＬＡは前記第３レンズ群に、前記レンズ群ＬＢは前記第４レンズ群に、それぞれ対応すること
を特徴とする請求項１乃至５のいずれか１項に記載のズームレンズ。
【請求項１１】
物体側から像側へ順に、
正の屈折力の第１レンズ群、正の屈折力の第２レンズ群、負の屈折力の第３レンズ群、正の屈折力の第４レンズ群、負の屈折力の第５レンズ群、正の屈折力の第６レンズ群、負の屈折力の第７レンズ群、正の屈折力の第８レンズ群よりなり、
ズーミングに際して前記第３レンズ群、前記第６レンズ群、前記第８レンズ群は不動で、それ以外のレンズ群が移動し、
前記レンズ群ＬＮは前記第３レンズ群に、前記レンズ群ＬＡは前記第４レンズ群に、前記レンズ群ＬＢは前記第５レンズ群に、それぞれ対応すること
を特徴とする請求項１乃至５のいずれか１項に記載のズームレンズ。
【請求項１２】
請求項１乃至１１のいずれか１項に記載のズームレンズを有することを特徴とする光学機器。
【発明の詳細な説明】
【技術分野】
【０００１】
本発明は、ズームレンズ及びそれを有する光学機器に関し、特にデジタルカメラ、ビデオカメラ、ＴＶカメラ、監視用カメラ、銀塩写真用カメラ、プロジェクターなどに好適なものである。
【背景技術】
【０００２】
近年、デジタルカメラ、ビデオカメラなどの撮像装置に用いられる撮影光学系やプロジェクターに用いられる投射光学系には高ズーム比で全ズーム範囲にわたり高い光学性能を有するズームレンズであることが要求されている。
【０００３】
高ズーム比化が容易なズームレンズとして最も物体側のレンズ群が正の屈折力のレンズ群より成るポジティブリードタイプのズームレンズが知られている。また光学系全体の小型化が容易なズームレンズとして、第２レンズ群以降のレンズ群を光軸方向に移動させてフォーカシングする所謂インナーフォーカス方式又はリアフォーカス方式を用いたズームレンズが知られている。ポジティブリードタイプでリアフォーカス方式を用い、全系が小型で高ズーム比のズームレンズが知られている（特許文献１）。
【０００４】
特許文献１は、物体側より像側へ順に、正、負、正、負、正、負の屈折力の第１〜第６レンズ群より成る６群ズームレンズにおいて第１、第３、第５、第６レンズ群を移動させてズーミングを行っている。そして第４、第５レンズ群を移動させてフォーカシングを行ったズームレンズを開示している。特許文献１では開口絞りを第３レンズ群と第４レンズ群の間に配置している。そして特許文献１では第１レンズ群や第３レンズ群の正レンズの材料に異常分散材料を用いて、レンズ径全体を大型化することなく色収差を含めた諸収差を良好に補正している。
【０００５】
一般にズームレンズにおいて全ズーム範囲にわたり高い光学性能を得るには像面湾曲や非点収差等の単色（短波長）の諸収差の補正に加え、色収差を良好に補正することが重要になってくる。
【０００６】
ポジティブリードタイプのズームレンズにおいて、光学系中に回折光学素子を配置して色収差の補正を行い、高性能化を図ったズームレンズが知られている（特許文献２、３）。特許文献２は物体側から像側へ順に、正、負、正、負、正、負、正の屈折力の第１レンズ群乃至第７レンズ群より成る７群ズームレンズにおいて各レンズ群間隔を変えてズーミングを行い、第１レンズ群に回折光学素子を用いている。そして第６レンズ群でフォーカシングを行ったズームレンズを開示している。
【０００７】
特許文献３は物体側より像側へ順に、正、負、正、正、負、正の屈折力のレンズ群より成る６群ズームレンズにおいて、各レンズ群間隔を変えてズーミングを行い、開口絞りに近い第３レンズ群中に回折光学素子を用いたズームレンズを開示している。
【先行技術文献】
【特許文献】
【０００８】
【特許文献１】特開２００４−２１２６１２号公報
【特許文献２】特開２００４−３１７８６７号公報
【特許文献３】特開２００１−３５６２７１号公報
【発明の概要】
【発明が解決しようとする課題】
【０００９】
近年、ズームレンズにはフルハイビジョン（画素数1920×1080、画素サイズ数μm）相当の画質より更に高画質のスーパーハイビジョン(画素数8000×4000、画素サイズ１μm前後)に代表されるような高画質の像が得られることが要望されている。
【００１０】
ズームレンズにおいて高ズーム比化を図りつつ、全ズーム範囲にわたり高い光学性能を得るには像面湾曲、非点収差等の諸収差の他に色収差を特に軽減することが重要になってくる。ズームレンズの一部に回折光学素子を用いると、色収差の補正が容易になり、それに伴い他の諸収差の補正が容易になり高ズーム比で全ズーム範囲にわたり高い光学性能を有したズームレンズを得るのが容易になる。
【００１１】
しかしながら回折光学素子を単にレンズ系中に設けてもその位置やパワーそしてそれを含むレンズ群のレンズ構成などを適切に設定しないと色収差を良好に補正した高い光学性能のズームレンズを得ることは難しい。この他ズームタイプや各レンズ群のパワーそして各レンズ群のレンズ構成等を適切に設定する必要がある。これらのレンズ構成が適切でないと回折光学素子を用いても全ズーム範囲で高性能化のズームレンズを得るのが困難になる。
【００１２】
本発明は高ズーム比で、全ズーム範囲にわたり、諸収差、特に色収差を良好に補正し全ズーム範囲において高い光学性能を有するズームレンズ及びそれを有する光学機器の提供を目的とする。
【課題を解決するための手段】
【００１３】
本発明のズームレンズは、最も物体側に正の屈折力の第１レンズ群と、前記第１レンズ群よりも像側に複数の負の屈折力のレンズ群と、開口絞りと、前記複数の負の屈折力のレンズ群のうち最も物体側に位置するレンズ群ＬＮよりも像側に正の屈折力のレンズ群ＬＡと、前記レンズ群ＬＡと前記開口絞りよりも像側に正又は負の屈折力のレンズ群ＬＢを有し、広角端から望遠端へのズーミングに際して前記レンズ群ＬＡと前記レンズ群ＬＢの間隔が広くなり、前記開口絞りと前記レンズ群ＬＢの間隔が広くなるズームレンズであって、前記レンズ群ＬＡは１以上の回折光学素子を有し、広角端における全系のパワーをφw、望遠端における全系のパワーをφt、前記レンズ群ＬＡの色収差補正力をSUM(A)、前記レンズ群ＬＢの色収差補正力をSUM(B)とするとき、
-1.0×10-3＜SUM(A)×SUM(B)/(φw×φt)＜-1.0×10-6
0.1＜│SUM(A)/SUM(B)│＜6.0
なる条件式を満足することを特徴としている。
【発明の効果】
【００１４】
本発明によれば、高ズーム比で、全ズーム範囲にわたり、諸収差、特に色収差を良好に補正し全ズーム範囲において高い光学性能を有するズームレンズが得られる。
【図面の簡単な説明】
【００１５】
【図１】（Ａ）、（Ｂ）  実施例１のズームレンズの物体距離無限遠時における広角端、望遠端におけるレンズ断面図
【図２】（Ａ）、（Ｂ）、（Ｃ）  実施例１のズームレンズの物体距離無限遠時における広角端、中間のズーム位置、望遠端における縦収差図
【図３】（Ａ）、（Ｂ）  実施例２のズームレンズの物体距離無限遠時における広角端、望遠端におけるレンズ断面図
【図４】（Ａ）、（Ｂ）、（Ｃ）  実施例２のズームレンズの物体距離無限遠時における広角端、中間のズーム位置、望遠端における縦収差図
【図５】（Ａ）、（Ｂ）  実施例３のズームレンズの物体距離無限遠時における広角端、望遠端におけるレンズ断面図
【図６】（Ａ）、（Ｂ）、（Ｃ）  実施例３のズームレンズの物体距離無限遠時における広角端、中間のズーム位置、望遠端における縦収差図
【図７】（Ａ）、（Ｂ）  実施例４のズームレンズの物体距離無限遠時における広角端、望遠端におけるレンズ断面図
【図８】（Ａ）、（Ｂ）、（Ｃ）  実施例４のズームレンズの物体距離無限遠時における広角端、中間のズーム位置、望遠端における縦収差図
【図９】（Ａ）、（Ｂ）  実施例５のズームレンズの物体距離無限遠時における広角端、望遠端におけるレンズ断面図
【図１０】（Ａ）、（Ｂ）、（Ｃ）  実施例５のズームレンズの物体距離無限遠時における広角端、中間のズーム位置、望遠端における縦収差図
【図１１】（Ａ）、（Ｂ）  実施例６のズームレンズの物体距離無限遠時における広角端、望遠端におけるレンズ断面図
【図１２】（Ａ）、（Ｂ）、（Ｃ）  実施例６のズームレンズの物体距離無限遠時における広角端、中間のズーム位置、望遠端における縦収差図
【図１３】本発明を撮像装置に適用した時の説明図
【図１４】本発明を投影装置に適用した時の説明図
【図１５】本発明のズームレンズの光学配置の説明図
【発明を実施するための形態】
【００１６】
以下に、本発明の好ましい実施の形態を、添付の図面に基づいて詳細に説明する。図１、図３、図５、図７、図９、図１１はそれぞれ本発明のズームレンズの実施例１乃至実施例６のレンズ断面図である。レンズ断面図において（Ａ）は広角端でのレンズ断面図、（Ｂ）は望遠端でのレンズ断面図である。図２、図４、図６、図８、図１０、図１２はそれぞれ本発明のズームレンズの実施例１乃至実施例６の縦収差図である。縦収差図において（Ａ）は広角端での縦収差図、（Ｂ）はズーム中間位置での縦収差図、（Ｃ）は望遠端での縦収差図である。
【００１７】
各レンズ断面図において、Ｌ０はズームレンズである。ＳＰは開口絞りである。Ｌ１は第１レンズ群、Ｌ２は第２レンズ群、Ｌ３は第３レンズ群である。Ｌ４は第４レンズ群、Ｌ５は第５レンズ群、Ｌ６は第６レンズ群、Ｌ７は第７レンズ群、Ｌ８は第８レンズ群である。ＬＮはズームレンズの最も物体側にある負の屈折力のレンズ群、ＬＡは正の屈折力のレンズ群、ＬＢは正又は負の屈折力のレンズ群である。
【００１８】
ＩＰは像面であり、ビデオカメラやデジタルカメラに適用する際には像を受光するＣＣＤセンサやＣＭＯＳセンサ等の固体撮像素子（光電変換素子）の撮像面が、銀塩フィルム用カメラに適用する際にはフィルム面に相当する。またプロジェクター等の画像投影装置に適用する際には液晶パネル等の画像表示素子に相当する。ＤＯＥは回折光学素子である。Ｄは回折光学素子ＤＯＥの一部を構成する回折光学部（回折光学面）である。回折光学部Ｄより生ずる回折光のうち、各実施例で用いる回折光の回折次数ｍは１であり、設計波長λ０はｄ線の波長（５８７．５６ｎｍ）である。
【００１９】
矢印は広角端から望遠端へのズーミングに際しての各レンズ群の移動軌跡を示している。フォーカス及びフローティングに関する矢印は無限遠物体から近距離物体へフォーカシングするときの各レンズ群の移動方向を示している。
【００２０】
本発明のズームレンズは、最も物体側に正の屈折力の第１レンズ群Ｌ１と、
第１レンズ群Ｌ１よりも像側に複数の負の屈折力のレンズ群と、開口絞りＳＰと、を有する。更に複数の負の屈折力のレンズ群のうち最も物体側に位置するレンズ群ＬＮよりも像側に正の屈折力のレンズ群ＬＡと、レンズ群ＬＡと開口絞りＳＰよりも像側に正又は負の屈折力のレンズ群ＬＢを有する。広角端から望遠端へのズーミングに際してレンズ群ＬＡとレンズ群ＬＢの間隔が広くなり、開口絞りＳＰとレンズ群ＬＢの間隔が広くなるようにレンズ群が移動している。
【００２１】
図１の実施例１は物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６よりなる。そしてズーミングに際して第２レンズ群Ｌ２は不動で、それ以外のレンズ群が移動する。
【００２２】
図３の実施例２は物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６よりなる。そしてズーミングに際して第３レンズ群Ｌ３は不動で、それ以外のレンズ群が移動する。
【００２３】
図５の実施例３は物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５を有する。更に正の屈折力の第６レンズ群Ｌ６、負の屈折力の第７レンズ群Ｌ７を有する。そしてズーミングに際して第２レンズ群Ｌ２と第５レンズ群Ｌ５は不動で、それ以外のレンズ群が移動する。
【００２４】
図７の実施例４は物体側から像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５を有する。更に正の屈折力の第６レンズ群Ｌ６、負の屈折力の第７レンズ群Ｌ７を有する。そしてズーミングに際して第３レンズ群Ｌ３は不動で、それ以外のレンズ群が移動する。
【００２５】
図９の実施例５は物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５を有する。更に正の屈折力の第６レンズ群Ｌ６、負の屈折力の第７レンズ群Ｌ７を有する。そしてズーミングに際して第２レンズ群Ｌ２は不動で、それ以外のレンズ群が移動する。
【００２６】
図１１の実施例６は物体側から像側へ順に、正の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５を有する。更に正の屈折力の第６レンズ群Ｌ６、負の屈折力の第７レンズ群Ｌ７、正の屈折力の第８レンズ群Ｌ８を有する。そしてズーミングに際して第３レンズ群Ｌ３、第６レンズ群Ｌ６、第８レンズ群Ｌ８は不動で、それ以外のレンズ群が移動する。
【００２７】
収差図において、ｄ、ｇは順に、ｄ線、ｇ線である。Ｍ、Ｓはメリディオナル像面、サジタル像面。ＦｎｏはＦナンバー、ωは半画角（度）である。収差図において、球面収差は０．４ｍｍ、非点収差は０．４ｍｍ、歪曲は２％、倍率色収差は０．０５ｍｍのスケールで描かれている。尚、以下の各実施例において広角端と望遠端とは、移動するレンズ群が機構上光軸上を移動可能な範囲の両端に位置したときのズーム位置をいう。
【００２８】
各実施例においてレンズ群ＬＡは１以上の回折光学素子を有する。広角端における全系のパワーをφw、望遠端における全系のパワーをφt、レンズ群ＬＡの色収差補正力をSUM(A)、レンズ群ＬＢの色収差補正力をSUM(B)とする。このとき、
-1.0×10-3＜SUM(A)×SUM(B)/(φw×φt)＜-1.0×10-6    ・・・（１）
0.1＜│SUM(A)/SUM(B)│＜6.0                        ・・・（２）
なる条件式を満足している。
【００２９】
ここで各実施例ではレンズ群ＬＡの色収差補正力をSUM(A)、レンズ群ＬＢの色収差補正力をSUM(B)と表している。
【００３０】
レンズ群ＬＡを構成する各レンズの材料の部分分散比差とアッベ数を各々ΔθgFAi、νAi、各レンズのパワーをφAi、（iはレンズ群ＬＡ内における物体側から順につけたレンズ番号）とする。レンズ群ＬＢを構成する各レンズの材料の部分分散比差とアッベ数を各々ΔθgFBj、νBj、各レンズのパワーをφBj、（jはレンズ群ＬＢ内における物体側から順につけたレンズ番号）、とする。このとき、色収差補正力SUM(A)、SUM(B)は以下のように定義するものである。
【００３１】
【数１】
2014089385.tif 000003
【００３２】
【数２】
2014089385.tif 000004
【００３３】
ただしアッベ数νAi、νBj、部分分散比θgFAi、θgFBj、部分分散比差ΔθgFAi、ΔθgFBjは、各レンズを構成する材料のｄ線における屈折率をＮdAi、ＮdBj、ｇ線における屈折率をＮgAi、ＮgBjとする。更にＣ線における屈折率をＮCAi、ＮCBj、Ｆ線における屈折率をＮFAi、ＮFBjとすると次に示す式で定義するものである。
【００３４】
νAi＝（ＮdAi−1）／（ＮFAi−ＮCAi）
νBj＝（ＮdBj−1）／（ＮFBj−ＮCBj）
θgFAi＝（ＮgAi−ＮFAi）／（ＮFAi−ＮCAi）
θgFBj＝（ＮgBj−ＮFBj）／（ＮFBj−ＮCBj）
ΔθgFAi＝θgFAi−（−1.61783×10-3×νAi＋0.64146）
ΔθgFBj＝θgFBj−（−1.61783×10-3×νBj＋0.64146）
本発明のズームレンズは以下のような考えに基づいている。
【００３５】
従来の撮像もしくは画像投影に利用するズームレンズとして、冒頭の先行技術文献で示したようなズームレンズが知られている。これらのズームレンズは、物体側から像側へ順に、正、負、正、負、正、負の屈折力のレンズ群を有している。このような構成のズームレンズにおいて、レンズ系の大きさを大きくせずに高画質化を進めるためには、主に色収差の補正と、像面湾曲と、非点収差等の諸補正を良好に補正することが必要となる。
【００３６】
一般的に、ズームレンズにおける収差補正は広角端と望遠端での収差補正と、その間の中間のズーム位置での収差補正が必要となる。
【００３７】
多レンズ群移動タイプのズームレンズにおいて、ズーム効率を優先した設計を行うと、各レンズ群に適切な変倍分担を行い、適切なパワー（屈折力）をつけたレンズ群を移動させる。これにより１つの変倍レンズ群だけを動かすよりも短い移動量で同じ変倍比を得ることができる。このため、ズームレンズ全系の小型化が達成できる。またズームレンズ全系の大きさと各レンズ群の移動量を減らさなければ、より高ズーム比化が容易になる。
【００３８】
しかしながら、スーパーハイビジョンに代表されるような高画質を前提にした場合には、従来のズームレンズの結像性能（フレアも含む）では十分ではなく、更なる高性能化が求められる。
【００３９】
従来のズームレンズの多くは色収差、像面湾曲、非点収差が残存してしまい、これが結像性能に大きな影響を与えている。このため、従来のズームレンズではズーム全域で高い空間周波数まで解像させることが困難であった。また従来のように回折光学素子を第１レンズ群に使用すれば、色収差の低減効果があるものの、例えば画面外に高輝度光源が存在すると不要回折光によるフレアが発生し、画質が低下してくる。
【００４０】
そして単純に収差低減を狙うのであれば、各レンズ群のパワーを緩くして、変倍レンズ群の移動量を増やせばよい。しかしながらこの方法では変倍レンズ群のストローク量（移動量）が増加し、ズームレンズ全系が大型化してくる。
【００４１】
本発明は全系の大型化を抑えながらも収差補正を良好に行い、かつ回折光学素子から生ずるフレアを抑制しつつ全ズーム範囲にわたり高い光学性能が得られるようにレンズ群の構成や材料、移動方法等を特定している。
【００４２】
次に各実施例のズームレンズの特徴について説明する。各実施例のズームレンズＬ０は、最も物体側に正の屈折力の第１レンズ群Ｌ１を有している。第１レンズ群Ｌ１よりも像側の任意の位置に複数の負の屈折力のレンズ群と開口絞りＳＰを有している。複数の負の屈折力のレンズ群のうち、最も物体側に位置するレンズ群ＬＮよりも像側に正の屈折力のレンズ群ＬＡを有している。またレンズ群ＬＡは少なくとも１つ回折光学素子ＤＯＥを有している。
【００４３】
レンズ群ＬＡと開口絞りＳＰよりも像側の位置に正又は負の屈折力のレンズ群ＬＢを有している。ズーミングに際しては、広角端に比べて望遠端においてレンズ群ＬＡとレンズ群ＬＢの間隔が広くなり、かつ、開口絞りＳＰとレンズ群ＬＢの間隔が広くなる。更に本発明のズームレンズでは条件式（１），（２）を満足している。
【００４４】
次に本発明のズームレンズのレンズ構成とズーミングに際しての各レンズ群の移動に関して図１５を使用して説明する。図１５（Ａ）、（Ｂ）における各部材に付した符号はレンズ断面図の各部材に付したものと同じである。図１５（Ａ）は広角端、図１５（Ｂ）は望遠端の近軸屈折力配置を示している。後続群はレンズ群ＬＢ以降のレンズ群を総称して表している。
【００４５】
最も物体側に正の屈折力のレンズ群を有するズームレンズにおいて、まず課題として挙がるのが望遠端における軸上色収差の補正である。これを効果的に補正するためには、軸上近軸光線が光軸から高い位置を通過する第１レンズ群Ｌ１に回折光学素子ＤＯＥを配置すれば良い。
【００４６】
しかしながら、不要回折光によるフレアが無視できなくなる。よって、本発明ではこのフレアを回避するために回折光学素子ＤＯＥを第１レンズ群Ｌ１よりも像側のレンズ群ＬＡに配置している。このように第１レンズ群Ｌ１よりも像側で、かつ開口絞りＳＰ付近に回折光学素子ＤＯＥを配置することにより、図１５（Ｂ）に示すように、結像に不要な光が回折光学素子ＤＯＥに当たりづらくなる。そしてフレアを低減させつつ望遠端において軸上色収差を補正することが容易になる。
【００４７】
このとき、望遠端において軸上色収差を開口絞りＳＰ付近の回折光学素子ＤＯＥで補正しようとすると、回折光学素子ＤＯＥを通過する軸上近軸光線の光軸からの高さは、第１レンズ群Ｌ１を通過するそれよりも低くなる。このため、第１レンズ群Ｌ１に回折光学素子ＤＯＥを配置するときよりも、回折光学素子ＤＯＥのパワーを比較的大きくする必要がある。
【００４８】
また、今度は広角端において各レンズ群の位置関係を見ると、図１５（Ａ）に示すように、レンズ群ＬＡを通過する軸上近軸光線の光軸からの高さは、全系の中でも高い位置を通過することになる。そうなると、望遠端では良好に補正できた軸上色収差が、広角端では補正過剰になってしまう。
【００４９】
そこで、この補正過剰になってしまった軸上色収差を逆補正するために、適切な色収差補正力を有したレンズ群ＬＢをレンズ群ＬＡと開口絞りＳＰの像側に配置して、広角端において軸上色収差を低減している。そして、ズーミングに際してはレンズ群ＬＡとレンズ群ＬＢとの距離やレンズ群ＬＢと開口絞りＳＰとの距離が広角端に比べて望遠端で離れる（広くなる）ように配置している。
【００５０】
このようにレンズ群ＬＢを開口絞りＳＰから離れるように配置することで、望遠端ではレンズ群ＬＢを通過する軸上近軸光線が光軸から低く、また瞳近軸光線が光軸から高い位置を通過するような構成にすることができる。こうすることにより、レンズ群ＬＢは軸上色収差補正にはあまり影響させずに倍率色収差を補正することが容易となる。そしてレンズ群ＬＢをレンズ群ＬＡからも離れるように配置することによって、望遠端における軸上色収差補正をレンズ群ＬＡで効果的に行っている。
【００５１】
次に前述の各条件式の技術的意味について説明する。条件式（１）はレンズ群ＬＡとレンズ群ＬＢの色収差補正力の大きさに関する。条件式（１）の上限値を超えると、レンズ群ＬＡとレンズ群ＬＢの色収差補正力がどちらか偏って弱くなりすぎるか、両方とも弱くなりすぎる。そうなると、特に望遠端において軸上色収差が残存してしまう。
【００５２】
一方条件式（１）の下限値を超えると、レンズ群ＬＡとレンズ群ＬＢの色収差補正力がどちらか偏って強くなりすぎるか、両方とも強くなりすぎる。そうなると、特に望遠端において軸上色収差が補正過剰となってしまい、全系において色収差の補正が困難となる。条件式（１）の数値範囲は更に好ましくは次の如く設定するのが良い。
-5.0×10-4＜SUM(A)×SUM(B)/(φw×φt)＜-4.0×10-6          ・・・（１ａ）
また条件式（１ａ）の数値範囲は更に好ましくは次の如く設定するのが良い。
-1.0×10-4＜SUM(A)×SUM(B)/(φw×φt)＜-5.0×10-6          ・・・（１ｂ）
【００５３】
条件式（２）はレンズ群ＬＡとレンズ群ＬＢの色収差補正力のバランスに関する。条件式（２）の上限値または下限値を超えると、レンズ群ＬＡの色収差補正力がレンズ群ＬＢのそれより大きくなりすぎるか小さくなりすぎる。そうなると、広角端と望遠端において軸上色収差をバランス良く補正するのが難しくなり、広角端もしくは望遠端のどちらかで軸上色収差が残存してしまう。
【００５４】
条件式（２）の数値範囲は更に好ましくは次の如く設定するのが良い。
0.2＜│SUM(A)/SUM(B)│＜5.0            ・・・（２ａ）
また条件式（２ａ）の数値範囲は更に好ましくは次の如く設定するのが良い。
0.5＜│SUM(A)/SUM(B)│＜4.0            ・・・（２ｂ）
【００５５】
以上のように各実施例によれば全ズーム領域で色収差と像面湾曲や非点収差の低減を両立しつつ、全系が小型で高画質なズームレンズが得られる。
以上のような構成とすることで本発明の目的とするズームレンズは達成されるが、更に好ましくは次に述べる条件のうち少なくとも１つを満足するのが良く、これによれば高い結像性能を有したズームレンズが容易に得られる。
【００５６】
広角端におけるレンズ群ＬＡと開口絞りＳＰのうち、最も物体側に位置する要素の最も物体側の面頂点から、レンズ群ＬＢの最も像側の面頂点までの距離をdLSとする。広角端におけるレンズ全長（最も物体側のレンズ面頂点から像面までの長さ）をdWTLとする。広角端における、開口絞りＳＰからレンズ群ＬＢの最も物体側の面頂点までの距離をdWSBとする。望遠端における、開口絞りＳＰからレンズ群ＬＢの最も物体側の面頂点までの距離をdTSBとする。
【００５７】
第１レンズ群Ｌ１が有する正レンズの材料の平均屈折率と負レンズの材料の平均屈折率をそれぞれNav1P、Nav1Nとする。レンズ群ＬＡが有する正レンズの材料の平均屈折率と負レンズの材料の平均屈折率をそれぞれNavAP、NavANとする。このとき次の条件式のうち１以上を満足するのが良い。
0.01＜dLS/dWTL＜0.30        ・・・（３）
1.5＜dTSB/dWSB＜25.0        ・・・（４）
1.48＜Nav1P＜2.2            ・・・（５）
1.70＜Nav1N＜2.5            ・・・（６）
1.55＜NavAP＜2.2            ・・・（７）
1.70＜NavAN＜2.5            ・・・（８）
【００５８】
次に前述した各条件式の技術的意味について説明する。条件式（３）はレンズ群ＬＡ、レンズ群ＬＢそして開口絞りＳＰの広角端での光路中に位置に関する。広角端では前述したように、レンズ群ＬＡとレンズ群ＬＢが色収差補正上キャンセル関係となって軸上色収差量の調節を行っている。よって、キャンセル関係によって効果的に軸上色収差補正を行うためには、レンズ群ＬＡとレンズ群ＬＢが光軸上近接しているのが好ましい。また軸上色収差を補正し、倍率色収差には影響をあまり影響を与えない位置関係が好ましいため、レンズ群ＬＡとレンズ群ＬＢは開口絞りＳＰの近傍に位置していることが好ましい。
【００５９】
条件式（３）の上限値を超えると、レンズ群ＬＡと開口絞りＳＰのどちらかとレンズ群ＬＢとの間隔が広くなりすぎる。このため、他の収差にあまり影響を与えずに効果的に色収差補正のキャンセル関係を作り出すことが困難になるため好ましくない。一方、条件式（３）の下限値を超えると、レンズ群ＬＡ、レンズ群ＬＢそして開口絞りＳＰがお互い接近するため色収差補正のキャンセル関係を作りやすいが、レンズ群厚が薄くなりすぎてしまう。このためにそれぞれのレンズ群内のレンズに適切なるパワーを付けるのが難しくなり、球面収差やコマ収差の補正が困難になる。
【００６０】
条件式（３）の数値範囲は更に好ましくは次の如く設定するのが良い。
0.02＜dLS/dWTL＜0.25            ・・・（３ａ）
また条件式（３ａ）の数値範囲は更に好ましくは次の如く設定するのが良い。
0.05＜dLS/dWTL＜0.20            ・・・（３ｂ）
【００６１】
条件式（４）はレンズ群ＬＢと開口絞りＳＰの広角端と望遠端での位置関係に関する。望遠端においてレンズ群ＬＢで効果的に倍率色収差を補正するためには、レンズ群ＬＢを開口絞りＳＰから比較的離れた位置に配置することが好ましい。そうすることで、軸外主光線がレンズ群ＬＢ内のレンズの周辺を通過することができるため、軸上色収差にあまり影響を与えずに効果的に倍率色収差を補正することができる。また広角端において、効果的に軸上色収差を補正するために、レンズ群ＬＢは開口絞りＳＰの近傍に位置することが好ましい。
【００６２】
条件式（４）の上限値を超えると、レンズ群ＬＢと開口絞りとの間隔が広くなりすぎる。この場合、倍率色収差の補正には有利であるが、全系のコンパクト化が困難になる。一方、条件式（４）の下限値を超えると、広角端と望遠端でのレンズ群ＬＢと開口絞りＳＰとの間隔変化量が少なくなってしまう。そうすると、望遠端において効果的に倍率色収差を補正するのが困難になる。条件式（４）の数値範囲は更に好ましくは次の如く設定するのが良い。
【００６３】
1.7＜dTSB/dWSB＜20.0            ・・・（４ａ）
また条件式（４ａ）の数値範囲は更に好ましくは次の如く設定するのが良い。
2.0＜dTSB/dWSB＜15.0            ・・・（４ｂ）
【００６４】
条件式（５）乃至条件式（８）は第１レンズ群Ｌ１とレンズ群ＬＡに含まれるレンズを構成する材料の屈折率に関する。第１レンズ群Ｌ１は、レンズ有効径が他のレンズ群と比較して大きい。またレンズ群ＬＡについては、パワーが他のレンズ群と比較して大きい。このようなレンズ群に対して各レンズを構成する材料の屈折率を高くすることで、レンズ面の曲率半径を大きくすることができてレンズの薄肉化ができるため、全系のコンパクト化が容易になる。またレンズ面の曲率半径を大きくできるということから非点収差が容易になる。
【００６５】
条件式（５）乃至条件式（８）の上限値を超えると、屈折率が高くなりすぎる。このため、全系のコンパクト化には有利であるが、ペッツバール和と非点収差の補正をバランス良くするのが困難となり、像面湾曲や非点収差が残存してしまう。
【００６６】
一方、条件式（５）乃至条件式（８）の下限値を超えると、各レンズの屈折率が低くなりすぎる。このため、第１レンズ群Ｌ１とレンズ群ＬＡのパワーを維持するためにはレンズ面の曲率半径を小さくしなければならない。そうすると、球面収差や非点収差が残存してしまうため好ましくない。条件式（５）乃至条件式（８）の数値範囲は更に好ましくは次の如く設定するのが良い。
【００６７】
1.48＜Nav1P＜2.1            ・・・（５ａ）
1.73＜Nav1N＜2.3            ・・・（６ａ）
1.55＜NavAP＜2.1            ・・・（７ａ）
1.73＜NavAN＜2.3            ・・・（８ａ）
また条件式（５ａ）乃至条件式（８ａ）の数値範囲は更に好ましくは次の如く設定するのが良い。
【００６８】
1.48＜Nav1P＜1.9            ・・・（５ｂ）
1.75＜Nav1N＜2.1            ・・・（６ｂ）
1.55＜NavAP＜1.9            ・・・（７ｂ）
1.75＜NavAN＜2.1            ・・・（８ｂ）
各実施例のズームレンズにおいて、広角端から望遠端へのズーミングに際してレンズ群ＬＡと開口絞りＳＰは物体側に、レンズ群ＬＢは像側に移動することが好ましい。こうすることで望遠端において、軸上近軸光線が光軸からより高い位置を通過する場所にレンズ群ＬＡを配置することができる。
【００６９】
このため望遠端において軸上色収差を補正するために必要な回折光学素子ＤＯＥのパワーを緩くすることができるので、回折光学素子ＤＯＥの製造が容易になる。またレンズ群ＬＢを像側に移動させることで、望遠端において、開口絞りＳＰとの距離をより離す構成にすることができる。こうすることでレンズ群ＬＢ内の光線は、近軸軸上光線が光軸から低い位置に、また軸外主光線がレンズ周辺を通る構成になるため、軸上色収差にあまり影響を与えずに倍率色収差を良好に補正することが容易となる。
【００７０】
以上のように各実施例によれば、高い結像性能を有したズームレンズが容易に得られる。各実施例のレンズ断面図において、ＤＯＥは回折光学素子である。Ｄは回折光学素子ＤＯＥの一部を構成する回折光学部（回折光学面）である。回折光学部Ｄより生ずる回折光のうち、各実施例で用いる回折光の回折次数ｍは１であり、設計波長λ0はｄ線の波長（５８７．５６ｎｍ）である。
【００７１】
なおズームレンズＬ０に設ける回折光学面Ｄは１つに限らず複数用いても良く、これによれば更に良好な光学性能が得られる。また回折光学面Ｄを設ける面は球面に限らず非球面であっても良く、ベースの材質は光を透過するものであればガラスでもプラスチックでも良い。回折格子の形状は、その２ｉ次項の位相係数をＣ2iとした時、光軸からの距離Ｈにおける位相φ（Ｈ）は次式で表される。ただしｍは回折次数、λ0は基準波長である。
【００７２】
【数３】
2014089385.tif 000005
【００７３】
一般に、レンズ、プリズム等の屈折光学材料のアッベ数（分散値）νdは、ｄ、Ｃ、Ｆ
線の各波長における屈折力をＮd、ＮC、ＮFとした時、次式で表される。
【００７４】
νd＝（Ｎd−１）／（ＮF−ＮC）＞0      ・・・（ｂ）
一方、回折光学部のアッベ数νdはｄ、Ｃ、Ｆ線の各波長をλd、λC、λFとした時
νd＝λd／（λF−λC）                ・・・（ｃ）
と表され、νd＝−3.453となる。
【００７５】
また回折光学部Ｄの部分分散比θgFは
θgF＝（λg−λF）／（λF−λC）        ・・・（ｄ）
と表され、θgF＝0.2956となる。
【００７６】
そして回折光学部Ｄの部分分散比差は、
ΔθgF＝θgF−（−1.61783×10-3×νd＋0.64146）      ・・・（ｅ）
の定義式より、ΔθgF＝−0.35145となる。
【００７７】
これにより、回折光学部Ｄは任意波長における分散性は、屈折光学素子と逆作用を有する。また、回折光学部Ｄの基準波長における近軸的な一時回折光（ｍ ＝ １）の屈折力φDは、回折光学部の位相を表す前式（ａ）から２次項の係数をＣ2とした時、φD= −2・Ｃ2と表される。これより回折光学素子ＤＯＥの回折成分のみによる焦点距離ｆDOEは
【００７８】
【数４】
2014089385.tif 000006
となる。さらに、任意波長をλ、基準波長をλ０とした時、任意波長の基準波長に対する
屈折力変化は、次式となる。
【００７９】
φD’＝（λ／λ0）×（−2・Ｃ2）            ・・・（ｇ）
これにより、回折光学部Ｄの特徴として、前式（ａ）の位相係数Ｃ2を変化させることにより、弱い近軸屈折力変化で大きな分散性が得られる。これは色収差以外の諸収差に大きな影響を与えることなく、色収差の補正を行うことを意味している。また位相係数Ｃ4以降の高次数の係数については、回折光学部Ｄの光線入射高の変化に対する屈折力変化は非球面と類似した効果を得ることができる。それと同時に、光線入射高の変化に応じて基準波長に対し任意波長の屈折力変化を与えることができる。このため回折光学部Ｄは、倍率色収差の補正に有効である。
【００８０】
次に各実施例における構成について説明する。
[実施例１]
図１（Ａ）、（Ｂ）の実施例１のズームレンズＬ０の構成について説明する。実施例１のズームレンズＬ０は物体側から像側へ順に、正の屈折力の第１レンズ群Ｌ１、負の屈折力の第２レンズ群Ｌ２、正の屈折力の第３レンズ群Ｌ３を有している。第３レンズ群Ｌ３の像側には、開口絞りＳＰ、負の屈折力の第４レンズ群Ｌ４、正の屈折力の第５レンズ群Ｌ５、負の屈折力の第６レンズ群Ｌ６と続いて構成されている。レンズ群ＬＮは第２レンズ群Ｌ２に対応している。レンズ群ＬＡは第３レンズ群Ｌ３に対応し、レンズ群ＬＢは第４レンズ群Ｌ４に対応している。
【００８１】
第３レンズ群Ｌ３内の接合レンズは回折光学素子ＤＯＥを構成している。回折光学素子ＤＯＥを構成する回折光学部Ｄは、接合レンズの接合面に配置されている。ズーミングに際して第２レンズ群Ｌ２は不動であり、それ以外のレンズ群が移動することでズーミングを行っている。広角端から望遠端へかけてのズーミングに際して、第１レンズ群Ｌ１、第３レンズ群Ｌ３、第６レンズ群Ｌ６は物体側に各レンズ群の間隔を変えながら移動している。第４レンズ群Ｌ４は第３レンズ群Ｌ３との間隔が広くなるように移動している。第５レンズ群Ｌ５は、第４レンズ群Ｌ４との間隔が狭くなるように移動している。
【００８２】
開口絞りＳＰは第３レンズ群Ｌ３と第４レンズ群Ｌ４との間に配置されており、ズーミングに際して第３レンズ群Ｌ３と一体（同じ軌跡）で移動している。尚、無限遠物体から近距離物体へのフォーカシングは第６レンズ群Ｌ６を像面側へ光軸上を移動させ、かつ第４レンズ群Ｌ４を物体側に光軸上移動させフローティングすることで行なっている。
【００８３】
[実施例２]
図３（Ａ）、（Ｂ）の実施例２のズームレンズＬ０の構成について説明する。実施例２のズームレンズＬ０は物体側から像側へ順に、正の屈折力の第１レンズ群Ｌ１、負の屈折力の第２レンズ群Ｌ２、正の屈折力の第３レンズ群Ｌ３を有している。第３レンズ群Ｌ３の像側には、開口絞りＳＰ、負の屈折力の第４レンズ群Ｌ４、正の屈折力の第５レンズ群Ｌ５、負の屈折力の第６レンズ群Ｌ６と続いて構成されている。レンズ群ＬＮは第２レンズ群Ｌ２に対応している。レンズ群ＬＡは第３レンズ群Ｌ３に対応し、レンズ群ＬＢは第４レンズ群Ｌ４に対応している。
【００８４】
第３レンズ群Ｌ３内の接合レンズは回折光学素子ＤＯＥを構成している。回折光学素子ＤＯＥを構成する回折光学部Ｄは、接合レンズの接合面に配置されている。ズーミングに際して第３レンズ群Ｌ３は不動であり、それ以外のレンズ群が移動することでズーミングを行っている。広角端から望遠端へのズーミングに際して、第１レンズ群Ｌ１と第６レンズ群Ｌ６は物体側に各レンズ群の間隔を変えながら移動している。第２レンズ群Ｌ２は像側に移動している。第４レンズ群Ｌ４は第３レンズ群Ｌ３との間隔が広くなるように移動している。
【００８５】
第５レンズ群Ｌ５は第４レンズ群Ｌ４との間隔が狭くなるように移動している。開口絞りＳＰは第３レンズ群Ｌ３と第４レンズ群Ｌ４との間に配置されており、ズーミングに際して不動である。尚、無限遠物体から近距離物体へのフォーカシングは第６レンズ群Ｌ６を像面側へ光軸上を移動させ、かつ第４レンズ群Ｌ４を物体側に光軸上移動させフローティングすることで行なっている。
【００８６】
[実施例３]
図５（Ａ）、（Ｂ）の実施例３のズームレンズＬ０の構成について説明する。実施例３のズームレンズＬ０は物体側から像側へ順に、正の屈折力の第１レンズ群Ｌ１、負の屈折力の第２レンズ群Ｌ２、正の屈折力の第３レンズ群Ｌ３を有している。第３レンズ群Ｌ３の像側には、開口絞りＳＰ、正の屈折力の第４レンズ群Ｌ４、負の屈折力の第５レンズ群Ｌ５、正の屈折力の第６レンズ群Ｌ６、そして負の屈折力の第７レンズ群Ｌ７と続いて構成されている。レンズ群ＬＮは第２レンズ群Ｌ２に対応している。レンズ群ＬＡは第４レンズ群Ｌ４に対応し、レンズ群ＬＢは第５レンズ群Ｌ５に対応している。
【００８７】
第４レンズ群Ｌ４内の接合レンズは回折光学素子ＤＯＥを構成している。回折光学素子ＤＯＥを構成する回折光学部Ｄは、接合レンズの接合面に配置されている。ズーミングに際して第２レンズ群Ｌ２と第５レンズ群Ｌ５は不動であり、それ以外のレンズ群が各レンズ群の間隔を変えながら移動することでズーミングを行っている。広角端から望遠端へのズーミングに際して第４レンズ群Ｌ４は、第５レンズ群Ｌ５との間隔が広くなるように移動している。開口絞りＳＰは第３レンズ群Ｌ３と第４レンズ群Ｌ４との間に配置されており、ズーミングに際して他のレンズ群とは独立に（異なった軌跡で）移動している。
【００８８】
具体的には広角端から望遠端へのズーミングに際して第４レンズ群Ｌ４との間隔を変化させながら移動している。尚、無限遠物体から近距離物体へのフォーカシングは第７レンズ群Ｌ７を像面側へ光軸上を移動させ、かつ第５レンズ群Ｌ５を物体側に光軸上移動させフローティングすることで行なっている。
【００８９】
[実施例４]
図７（Ａ）、（Ｂ）の実施例４のズームレンズＬ０の構成について説明する。実施例４のズームレンズＬ０は物体側から像側へ順に、正の屈折力の第１レンズ群Ｌ１、負の屈折力の第２レンズ群Ｌ２、負の屈折力の第３レンズ群Ｌ３を有している。第３レンズ群Ｌ３の像側には、開口絞りＳＰを含む正の屈折力の第４レンズ群Ｌ４、負の屈折力の第５レンズ群Ｌ５、正の屈折力の第６レンズ群Ｌ６、負の屈折力の第７レンズ群Ｌ７と続いて構成されている。
【００９０】
レンズ群ＬＮは第２レンズ群Ｌ２に対応している。レンズ群ＬＡは第４レンズ群Ｌ４に対応し、レンズ群ＬＢは第５レンズ群Ｌ５に対応している。第４レンズ群Ｌ４内の接合レンズは回折光学素子ＤＯＥを構成している。回折光学素子ＤＯＥを構成する回折光学部Ｄは、接合レンズの接合面に配置されている。ズーミングに際して第３レンズ群Ｌ３は不動であり、それ以外のレンズ群が移動することでズーミングを行っている。
【００９１】
広角端から望遠端へのズーミングに際して、第１レンズ群Ｌ１、第２レンズ群Ｌ２、第４レンズ群Ｌ４、第６レンズ群Ｌ６、そして第７レンズ群Ｌ７は物体側に各レンズ群の間隔を変えながら移動している。第５レンズ群Ｌ５は第４レンズ群Ｌ４との間隔が広くなるように移動している。開口絞りＳＰは第４レンズ群Ｌ４の内部に配置されており、ズーミングに際して第４レンズ群Ｌ４と一体で移動している。尚、無限遠物体から近距離物体へのフォーカシングは第７レンズ群Ｌ７を像面側へ光軸上を移動させ、かつ第５レンズ群Ｌ５を物体側に光軸上移動させフローティングすることで行なっている。
【００９２】
[実施例５]
図９（Ａ）、（Ｂ）の実施例５のズームレンズＬ０の構成について説明する。実施例５のズームレンズＬ０は物体側から像側へ順に、正の屈折力の第１レンズ群Ｌ１、負の屈折力の第２レンズ群Ｌ２、正の屈折力の第３レンズ群Ｌ３を有している。第３レンズ群Ｌ３の像側には、開口絞りＳＰ、正の屈折力の第４レンズ群Ｌ４、負の屈折力の第５レンズ群Ｌ５、正の屈折力の第６レンズ群Ｌ６、負の屈折力の第７レンズ群Ｌ７と続いて構成されている。
【００９３】
レンズ群ＬＮは第２レンズ群Ｌ２に対応している。レンズ群ＬＡは第３レンズ群Ｌ３に対応し、レンズ群ＬＢは第４レンズ群Ｌ４に対応している。第３レンズ群Ｌ３内の接合レンズと第４レンズ群Ｌ４内の接合レンズは回折光学素子ＤＯＥを構成している。回折光学素子ＤＯＥを構成する回折光学部Ｄは、それぞれの接合レンズの接合面に配置されている。ズーミングに際して第２レンズ群Ｌ２は不動である。それ以外のレンズ群が移動することでズーミングを行っている。
【００９４】
広角端から望遠端へかけてのズーミングに際して、第１レンズ群Ｌ１、第３レンズ群Ｌ３、第６レンズ群Ｌ６そして第７レンズ群Ｌ７は物体側に各レンズ群の間隔を変えながら移動している。第４レンズ群Ｌ４は第３レンズ群Ｌ３との間隔が広くなるように移動している。第５レンズ群Ｌ５は、第６レンズ群Ｌ６との間隔が狭くなるように移動している。開口絞りは第３レンズ群Ｌ３と第４レンズ群Ｌ４との間に配置されており、ズーミングに際して第３レンズ群Ｌ３と一体で移動している。
【００９５】
尚、無限遠物体から近距離物体へのフォーカシングは第７レンズ群Ｌ７を像面側へ光軸上を移動させ、かつ第５レンズ群Ｌ５を物体側に光軸上移動させフローティングすることで行なっている。
【００９６】
[実施例６]
図１１（Ａ）、（Ｂ）の実施例６のズームレンズＬ０の構成について説明する。実施例６のズームレンズＬ０は物体側から像側へ順に、正の屈折力の第１レンズ群Ｌ１、正の屈折力の第２レンズ群Ｌ２、負の屈折力の第３レンズ群Ｌ３を有している。第３レンズ群Ｌ３の像側には、正の屈折力の第４レンズ群Ｌ４、開口絞りＳＰ、負の屈折力の第５レンズ群Ｌ５、正の屈折力の第６レンズ群Ｌ６、負の屈折力の第７レンズ群Ｌ７、正の屈折力の第８レンズ群Ｌ８と続いて構成されている。
【００９７】
レンズ群ＬＮは第３レンズ群Ｌ３に対応している。レンズ群ＬＡは第４レンズ群Ｌ４に対応し、レンズ群ＬＢは第５レンズ群Ｌ５に対応している。第４レンズ群Ｌ４内の接合レンズは回折光学素子ＤＯＥを構成している。回折光学素子ＤＯＥを構成する回折光学部Ｄは、接合レンズの接合面に配置されている。第４レンズ群Ｌ４の接合レンズの最も像側のレンズ面は非球面形状である。ズーミングに際して第３レンズ群Ｌ３、第６レンズ群Ｌ６そして第８レンズ群Ｌ８は不動であり、それ以外のレンズ群が移動することでズーミングを行っている。
【００９８】
広角端から望遠端へかけてのズーミングに際して、第１レンズ群Ｌ１、第２レンズ群Ｌ２、第４レンズ群Ｌ４そして第７レンズ群Ｌ７は物体側に各群の間隔を変えながら移動している。第５レンズ群Ｌ５は第４レンズ群Ｌ４との間隔が広くなるように移動している。開口絞りＳＰは第４レンズ群Ｌ４と第５レンズ群Ｌ５との間に配置されており、ズーミングに際して第４レンズ群Ｌ４と一体で移動している。尚、無限遠物体から近距離物体へのフォーカシングは第７レンズ群Ｌ７を像面側へ光軸上を移動させることで行なっている。
【００９９】
以下に本発明の実施例１〜６に対応する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。θgFは部分分散比、ΔθgFは部分分散比差である。ｆ、Fno、２ωはそれぞれ無限遠物体に焦点を合わせたときの全系の焦点距離、Ｆナンバー、画角（度）を表している。BFは空気換算値でのバックフォーカスである。
【０１００】
回折光学素子（回折面）は前述（ａ）式の位相関数の位相係数を与えることで表している。非球面形状は光軸方向にＸ軸、光軸と垂直方向にＨ軸、光の進行方向を正、Ｒを近軸曲率半径、ｋを離心率、A4、A6、A8、A10を各々非球面係数としたとき、
【０１０１】
【数５】
2014089385.tif 000007
【０１０２】
なる式で表している。また例えば「ｅ−Ｚ」の表示は「１０−Ｚ」を意味する。そして、前述の各条件式と数値実施例における諸数値との関係を表１に示す。
【０１０３】
（数値実施例１）
f= 103.00〜200.00〜388.94mm  Fno=4.63〜5.24〜5.83  2ω=23.72〜12.34〜6.36°
面番号       r        d      nd        νd     有効径   θgF    ΔθgF
1         88.497    6.47   1.65160    58.5    66.71
2        376.894    0.15                      66.27
3        118.227    2.80   1.88300    40.8    64.95
4         54.059   12.07   1.48749    70.2    61.21
5       1063.625  (可変)                      60.40
6       -268.576    1.40   1.72916    54.7    32.19
7         70.009    3.85                      31.59
8        -68.480    1.50   1.59282    68.6    31.61
9        118.472    2.22   1.84666    23.8    32.55
10       -661.138  (可変)                      32.67
11         98.002    6.23   1.65160    58.5    33.48  0.54178  -0.00497
12(回折)  -51.658    2.00   1.80000    29.8    33.47  0.60187   0.00870
13        -94.266    4.00                      33.63
14(絞り)    ∞     (可変)                      32.49
15        -48.874    2.10   1.43387    95.1    27.82  0.53728   0.04975
16         56.005    3.33   1.61340    44.3    28.36  0.56277  -0.00709
17       -930.171  (可変)                      28.55
18        127.169    3.50   1.51633    64.1    29.15
19       -124.292    0.50                      29.24
20        455.327    1.60   1.84666    23.8    29.18
21         51.821    1.83                      29.00
22        272.073    2.99   1.48749    70.2    29.06
23        -83.387    0.15                      29.38
24         44.467    4.27   1.61772    49.8    30.14
25       -824.972  (可変)                      29.90
26        246.686    1.35   1.83481    42.7    29.18
27         41.889    4.47   1.72825    28.5    28.47
28       -208.021    1.35   1.77250    49.6    28.20
29         48.938  (可変)                      27.55
像面        ∞   
【０１０４】
非球面データ
第12面(回折面)
C 2=-1.31240e-004  C 4= 6.04700e-008  C 6=-7.36967e-011
各種データ
ズーム比      3.78 
広角     中間     望遠
焦点距離     103.00   200.00   388.94  
Fナンバー      4.63     5.24     5.83  
半画角（度）  11.86     6.17     3.18  
像高          21.64    21.64    21.64  
レンズ全長   228.82   273.58   303.10  
BF            69.48    90.93   105.73  
d 5            2.00    46.77    76.28  
d10           31.75    19.74     2.00  
d14            7.82    16.60    45.00  
d17           24.42    13.86     2.00  
d25           23.20    15.56     1.95  
d29           69.48    90.93   105.73  
入射瞳位置    57.65   163.71   266.80  
射出瞳位置   -47.86   -44.91   -53.63  
前側主点位置  70.24    69.26  -293.52  
後側主点位置 -33.52  -109.07  -283.21  
最至近位置(無限遠時を基準とした像面から1800mm)での各群間隔
広角     中間     望遠
d 5            2.00    46.77    76.28  
d10           31.75    19.74     2.00  
d14            4.71    13.48    41.89  
d17           27.53    16.97     5.11  
d25           25.52    21.11    18.21  
d29           67.17    85.38    89.47  
ズームレンズ群データ
群  始面    焦点距離  レンズ構成長  前側主点位置  後側主点位置
1    1     179.89        21.49        -4.15        -17.52
2    6     -53.88         8.98         1.51         -5.28
3   11      81.04        12.23         2.57         -6.40
4   15    -201.84         5.43        -1.42         -4.97
5   18      61.73        14.84         7.76         -2.71
6   26     -66.36         7.17         4.46          0.34
単レンズデータ
レンズ  始面  焦点距離
1       1    175.93
2       3   -115.16
3       4    116.38
4       6    -76.03
5       8    -72.98
6       9    118.82
7      11     52.78(回折光学素子を除いたレンズ単体の値)
8      12   -145.91(回折光学素子を除いたレンズ単体の値)
9      15    -59.79
10      16     86.23
11      18    122.32
12      20    -69.19
13      22    131.29
14      24     68.43
15      26    -60.62
16      27     48.24
17      28    -51.17
ΔθgF＝θgF−（−1.61783×10-3×νｄ＋0.64146）
なる式で定義されるものである。
【０１０５】
（数値実施例２）
f= 102.68〜200.00〜388.94mm  Fno=4.63〜5.21〜5.83  2ω=23.80〜12.34〜6.36°
面番号       r        d      nd        νd    有効径   θgF     ΔθgF
1         86.565    6.57   1.65160    58.5    66.71
2        363.942    0.15                      66.26
3        108.871    2.80   1.88300    40.8    64.78
4         52.104   10.87   1.48749    70.2    60.85
5        486.405  (可変)                      60.26
6       -220.264    1.40   1.72916    54.7    27.14
7         57.012    4.32                      26.60
8        -51.649    1.50   1.59282    68.6    26.67
9        199.227    1.88   1.84666    23.8    27.57
10       -193.519  (可変)                      27.74
11        109.842    5.75   1.65160    58.5    30.37  0.54178    -0.00497
12(回折)  -44.240    2.00   1.80000    29.8    30.42  0.60187     0.00870
13        -68.862    4.00                      30.65
14(絞り)    ∞     (可変)                      29.41
15        -44.279    2.10   1.43387    95.1    28.86  0.53728     0.04975
16         65.118    4.73   1.61340    44.3    29.59  0.56277    -0.00709
17       -209.930  (可変)                      29.73
18         95.261    3.50   1.48749    70.2    29.67
19       -118.165    0.50                      29.53
20       -304.036    1.60   1.84666    23.8    29.22
21         54.010    1.94                      28.80
22        636.101    2.84   1.48749    70.2    28.85
23        -77.246    0.15                      29.07
24         47.965    5.47   1.59551    39.2    29.33
25       -155.393  (可変)                      28.84
26        698.314    1.35   1.85026    32.3    28.14
27         28.690    6.05   1.78472    25.7    27.45
28        -89.223    1.35   1.88300    40.8    27.28
29         65.492  (可変)                      26.94
像面        ∞   
【０１０６】
非球面データ
第12面(回折面)
C 2=-1.47970e-004  C 4= 7.35788e-008  C 6=-8.21054e-011  
各種データ
ズーム比      3.79 
広角     中間     望遠
焦点距離     102.68   200.00   388.94  
Fナンバー      4.63     5.21     5.83  
半画角（度）  11.90     6.17     3.18  
像高          21.64    21.64    21.64  
レンズ全長   230.00   286.63   303.10  
BF            61.00    77.54    81.23  
d 5            2.00    59.73    90.10  
d10           25.00    23.90    10.00  
d14            6.70    14.78    45.00  
d17           31.83    19.73     2.00  
d25           30.65    18.13     1.95  
d29           61.00    77.54    81.23  
入射瞳位置    50.00   217.69   404.61  
射出瞳位置   -51.38   -47.60   -52.52  
前側主点位置  58.86    98.05  -337.51  
後側主点位置 -41.68  -122.46  -307.71  
最至近位置(無限遠時を基準とした像面から1800mm)での各群間隔
d 5            2.00    59.73    90.10  
d10           25.00    23.90    10.00  
d14            3.52    11.60    41.82  
d17           35.01    22.92     5.18  
d25           33.24    24.62    23.18  
d29           58.40    71.05    60.00  
ズームレンズ群データ
群  始面    焦点距離  レンズ構成長  前側主点位置  後側主点位置
1    1     180.36        20.39        -5.23        -17.72
2    6     -45.22         9.10         1.36         -5.73
3   11      70.05        11.75         3.00         -5.68
4   15    -251.37         6.83        -4.24         -8.77
5   18      68.74        16.00         9.47         -1.81
6   26     -63.66         8.75         4.55         -0.27
単レンズデータ
レンズ  始面  焦点距離
1       1    172.70
2       3   -115.85
3       4    118.73
4       6    -61.98
5       8    -69.03
6       9    116.20
7      11     49.12(回折光学素子を除いたレンズ単体の値)
8      12   -160.46(回折光学素子を除いたレンズ単体の値)
9      15    -60.40
10      16     81.56
11      18    108.78
12      20    -54.06
13      22    141.48
14      24     62.17
15      26    -35.22
16      27     28.30
17      28    -42.60
ΔθgF＝θgF−（−1.61783×10-3×νｄ＋0.64146）
なる式で定義されるものである。
【０１０７】
（数値実施例３）
f= 102.17〜200.00〜388.94mm  Fno=4.62〜5.01〜5.83  2ω=23.92〜12.34〜6.36°
面番号       r        d      nd        νd   有効径  θgF      ΔθgF
1         83.266    6.65   1.65160    58.5  66.71
2        318.753    0.15                    66.24
3        133.722    2.80   1.88300    40.8  65.20
4         54.440   11.55   1.51633    64.1  61.40
5        490.862  (可変)                    60.62
6       -346.658    1.40   1.72916    54.7  33.35
7        213.269    2.72                    32.99
8       -125.851    1.50   1.59282    68.6  32.85
9         41.551    2.07   1.84666    23.8  32.89
10         61.552  (可変)                    32.80
11         87.762    3.73   1.65160    58.5  34.01
12      -2130.595  (可変)                    34.02
13(絞り)    ∞     (可変)                    34.01
14        135.083    5.30   1.65160    58.5  34.00   0.54178   -0.00497
15(回折)  -65.201    2.00   1.80000    29.8  33.80   0.60187    0.00870
16       -156.856  (可変)                    33.61
17        -43.568    2.10   1.43387    95.1  26.26   0.53728    0.04975
18         72.407    2.68   1.61340    44.3  27.31   0.56277   -0.00709
19       4533.558  (可変)                    27.48
20        748.730    3.50   1.51633    64.1  27.92
21        -63.652    0.50                    28.15
22      -1343.760    1.60   1.84666    23.8  28.06
23         56.953    1.63                    28.01
24        367.872    2.87   1.48749    70.2  28.07
25        -78.355    0.15                    28.40
26         49.161    4.30   1.58144    40.8  29.13
27       -177.961  (可変)                    28.98
28       -801.788    1.35   1.77250    49.6  28.34
29         33.766    4.02   1.72825    28.5  27.76
30        204.106    1.35   1.77250    49.6  27.59
31         58.459  (可変)                    27.31
像面        ∞   
【０１０８】
非球面データ
第15面(回折面)
C 2=-1.29311e-004  C 4=-1.37648e-008  C 6=-4.71506e-011  
各種データ
ズーム比      3.81 
広角     中間     望遠
焦点距離     102.17   200.00   388.94  
Fナンバー      4.62     5.01     5.83  
半画角（度）  11.96     6.17     3.18  
像高          21.64    21.64    21.64  
レンズ全長   221.70   277.32   303.10  
BF            55.00    75.81    94.31  
d 5            2.00    57.61    83.40  
d10           25.00    20.58     5.06  
d12           22.14     6.49     2.36  
d13            2.00    11.06     2.00  
d16            6.40    17.42    46.13  
d19           12.27     4.19     2.00  
d27           30.99    18.26     1.95  
d31           55.00    75.81    94.31  
入射瞳位置    65.07   192.47   262.10  
射出瞳位置   -42.70   -47.23   -54.28  
前側主点位置  60.38    67.37  -367.03  
後側主点位置 -47.17  -124.19  -294.63  
最至近位置(無限遠時を基準とした像面から1800mm)での各群間隔
d 5            2.00    57.61    83.40  
d10           25.00    20.58     5.06  
d12           22.14     6.49     2.36  
d13            2.00    11.06     2.00  
d16            2.62    13.65    42.35  
d19           16.05     7.97     5.78  
d27           34.45    25.75    21.31  
d31           51.54    68.32    74.95  
ズームレンズ群データ
群  始面    焦点距離  レンズ構成長  前側主点位置  後側主点位置
1    1     204.56        21.14        -6.69        -19.44
2    6     -54.86         7.68         3.79         -1.70
3   11     129.44         3.73         0.09         -2.17
4   13       ∞           0.00         0.00         -0.00
5   14     127.51         7.30         1.99         -2.38
6   17    -131.89         4.78        -0.42         -3.55
7   20      61.84        14.54         8.42         -1.73
8   28     -65.06         6.72         3.33         -0.49
単レンズデータ
レンズ  始面  焦点距離
1       1    171.07
2       3   -105.74
3       4    117.53
4       6   -180.89
5       8    -52.52
6       9    144.19
7      11    129.44
8      14     68.20(回折光学素子を除いたレンズ単体の値)
9      15   -140.84(回折光学素子を除いたレンズ単体の値)
10      17    -62.35
11      18    119.93
12      20    113.79
13      22    -64.50
14      24    132.79
15      26     66.71
16      28    -41.91
17      29     55.01
18      30   -106.48
ΔθgF＝θgF−（−1.61783×10-3×νｄ＋0.64146）
なる式で定義されるものである。
【０１０９】
（数値実施例４）
f= 103.00〜200.10〜388.92mm  Fno=4.28〜4.74〜5.83  2ω=23.72〜12.34〜6.36°
面番号       r        d      nd        νd    有効径   θgF    ΔθgF
1         93.800    6.81   1.72916    54.7    66.71
2        412.768  (可変)                      66.08
3        150.583    2.80   1.80100    35.0    60.77
4         50.270   10.32   1.51823    58.9    57.13
5        682.415  (可変)                      56.61
6       -148.061    1.40   1.72916    54.7    33.62
7         84.805    4.20                      33.21
8        -90.081    1.50   1.59282    68.6    33.32
9         76.235    2.73   1.84666    23.8    34.38
10       1157.364  (可変)                      34.48
11         92.277    5.33   1.64769    33.8    35.34   0.59447   0.00770
12        -96.735    1.00                      35.32
13(絞り)    ∞       1.00                      34.64
14         89.576    6.08   1.65160    58.5    33.95   0.54178  -0.00497
15(回折)  -57.675    2.00   1.80000    29.8    33.32   0.60187   0.00870
16        118.065  (可変)                      32.01
17        -49.322    2.10   1.43387    95.1    27.82   0.53728   0.04975
18        101.700    2.41   1.61340    44.3    28.95   0.56277  -0.00709
19       4578.450  (可変)                      29.18
20        114.055    3.50   1.54814    45.8    29.97
21       -102.268    0.50                      30.08
22      -4886.561    1.60   1.84666    23.8    30.01
23         55.238    1.74                      29.93
24        235.496    3.01   1.48749    70.2    30.00
25        -93.840    0.15                      30.34
26         49.549    5.51   1.61340    44.3    31.25
27       -247.405  (可変)                      30.97
28        318.603    1.35   1.77250    49.6    29.46
29         97.846    5.11   1.72825    28.5    29.07
30        -67.707    1.35   1.77250    49.6    28.61
31         48.751  (可変)                      27.79
像面        ∞   
【０１１０】
非球面データ
第15面(回折面)
C 2=-1.52692e-004  C 4= 5.80181e-008  C 6=-9.99607e-011  
各種データ
ズーム比      3.78 
広角     中間     望遠
焦点距離     103.00   200.10   388.92  
Fナンバー      4.28     4.74     5.83  
半画角（度）  11.86     6.17     3.18  
像高          21.64    21.64    21.64  
レンズ全長   230.00   276.89   303.10  
BF            58.53    76.88    98.35  
d 2            0.15     7.29    10.54  
d 5            4.04    43.80    66.75  
d10           30.00    22.44     2.00  
d16            9.70    24.07    45.00  
d19           25.14    10.85     2.00  
d27           28.93    18.06     4.94  
d31           58.53    76.88    98.35  
入射瞳位置    55.53   167.52   237.28  
射出瞳位置   -56.79   -52.62   -56.41  
前側主点位置  66.53    58.43  -351.13  
後側主点位置 -44.47  -123.22  -290.57  
最至近位置(無限遠時を基準とした像面から1800mm)での各群間隔
d 2            0.15     7.29    10.54  
d 5            4.04    43.80    66.75  
d10           30.00    22.44     2.00  
d16            4.49    18.86    39.79  
d19           30.35    16.06     7.21  
d27           31.97    25.81    24.92  
d31           55.48    69.14    78.37  
ズームレンズ群データ
群  始面    焦点距離  レンズ構成長  前側主点位置  後側主点位置
1    1     164.99         6.81        -1.15         -5.05
2    3    -986.57        13.12        14.93          6.42
3    6     -56.34         9.83         1.44         -5.93
4   11      78.73        15.42        -2.05        -11.48
5   17    -139.94         4.51        -0.31         -3.27
6   20      59.69        16.01         7.64         -3.54
7   28     -69.52         7.81         5.13          0.60
単レンズデータ
レンズ  始面  焦点距離
1       1    164.99
2       3    -95.40
3       4    104.14
4       6    -73.76
5       8    -69.42
6       9     96.28
7      11     73.73
8      14     54.74(回折光学素子を除いたレンズ単体の値)
9      15    -48.19(回折光学素子を除いたレンズ単体の値)
10      17    -76.23
11      18    169.53
12      20     98.94
13      22    -64.50
14      24    138.06
15      26     67.78
16      28   -183.29
17      29     55.67
18      30    -36.51
ΔθgF＝θgF−（−1.61783×10-3×νｄ＋0.64146）
なる式で定義されるものである。
【０１１１】
（数値実施例５）
f= 103.01〜200.01〜388.96mm  Fno=4.63〜5.32〜5.83  2ω=23.72〜12.34〜6.36°
面番号       r        d      nd       νd   有効径    θgF      ΔθgF
1         87.070    6.55   1.65160   58.5  66.72
2        367.977    0.15                   66.27
3        121.123    2.80   1.88300   40.8  64.99
4         53.839   11.15   1.48749   70.2  61.19
5       1174.897  (可変)                   60.67
6       -160.340    1.40   1.85026   32.3  33.45
7         62.523    5.12                   33.01
8        -73.750    1.50   1.59282   68.6  33.30
9         68.041    4.21   1.84666   23.8  35.34
10       -162.179  (可変)                   35.54
11         71.213    7.40   1.72916   54.7  36.78   0.54423   -0.00880
12(回折)  -57.549    2.00   1.80000   29.8  36.59   0.60187    0.00870
13       -205.836    4.00                   36.30
14(絞り)    ∞     (可変)                   35.00
15        -73.838    2.00   1.80000   29.8  27.26   0.60187    0.00870
16(回折)  -53.876    2.00   1.80000   29.8  27.39   0.60187    0.00870
17        -61.527  (可変)                   27.58
18        -45.760    2.10   1.72916   54.7  26.63
19       -137.721  (可変)                   27.39
20        171.610    3.50   1.48749   70.2  28.18
21        -83.414    0.50                   28.36
22        165.576    1.60   1.75520   27.5  28.34
23         51.537    1.45                   28.11
24        151.204    3.25   1.48749   70.2  28.15
25        -78.467    0.15                   28.33
26         37.704    3.67   1.48749   70.2  28.43
27        161.985  (可変)                   28.06
28      -1246.251    1.35   1.77250   49.6  27.71
29         56.214    3.69   1.72825   28.5  27.25
30       -179.001    1.35   1.77250   49.6  27.04
31         53.973  (可変)                   26.58
像面        ∞   
【０１１２】
非球面データ
第12面(回折面)
C 2=-1.41897e-004  C 4= 3.75706e-008  C 6=-4.64749e-011  
第16面(回折面)
C 2= 9.54619e-005  C 4= 3.58948e-008  C 6=-2.11119e-011  
各種データ
ズーム比      3.78 
広角     中間     望遠
焦点距離     103.01   200.01   388.96  
Fナンバー      4.63     5.32     5.83  
半画角（度）  11.86     6.17     3.18  
像高          21.64    21.64    21.64  
レンズ全長   230.00   276.21   303.10  
BF            61.00    79.85   106.13  
d 5            2.00    48.21    75.10  
d10           25.00    15.76     2.00  
d14            3.27    12.12    40.00  
d17           10.00     9.87     3.05  
d19           29.71    20.42     2.00  
d27           26.14    17.12     1.95  
d31           61.00    79.85   106.13  
入射瞳位置    53.01   160.68   257.37  
射出瞳位置   -56.21   -53.14   -47.58  
前側主点位置  65.49    59.88  -337.95  
後側主点位置 -42.01  -120.17  -282.83  
最至近位置(無限遠時を基準とした像面から1800mm)での各群間隔
d 5            2.00    48.21    75.10  
d10           25.00    15.76     2.00  
d14            3.27    12.12    40.00  
d17            8.37     8.23     1.41  
d19           31.35    22.05     3.63  
d27           28.73    23.29    17.06  
d31           58.41    73.67    91.01  
ズームレンズ群データ
群  始面    焦点距離  レンズ構成長  前側主点位置  後側主点位置
1    1     182.64        20.64        -4.27        -17.07
2    6     -57.35        12.23        -0.94        -10.39
3   11      76.87        13.40         1.30         -8.17
4   15     436.58         4.00        12.52         10.61
5   18     -94.90         2.10        -0.61         -1.84
6   20      56.01        14.12         5.81         -4.36
7   28     -62.36         6.39         3.35         -0.30
単レンズデータ
レンズ  始面  焦点距離
1       1    173.45
2       3   -111.95
3       4    115.37
4       6    -52.75
5       8    -59.46
6       9     57.09
7      11     44.73(回折光学素子を除いたレンズ単体の値)
8      12   -100.46(回折光学素子を除いたレンズ単体の値)
9      15    238.48(回折光学素子を除いたレンズ単体の値)
10      16   -612.75(回折光学素子を除いたレンズ単体の値)
11      18    -94.90
12      20    115.66
13      22    -99.69
14      24    106.46
15      26     99.84
16      28    -69.60
17      29     59.13
18      30    -53.55
ΔθgF＝θgF−（−1.61783×10-3×νｄ＋0.64146）
なる式で定義されるものである。
【０１１３】
（数値実施例６）
f= 72.50〜135.00〜289.99mm  Fno=4.44〜5.04〜5.85  2ω=33.24〜18.20〜8.54°
面番号        r        d      nd       νd    有効径    θgF    ΔθgF
1          65.305    5.42   1.49700   81.5   49.57
2         347.969  (可変)                    49.20
3          60.149    2.20   1.83481   42.7   45.99
4          36.362    8.04   1.49700   81.5   43.35
5         202.320  (可変)                    42.62
6         210.522    1.10   1.83400   37.2   18.99
7          43.219    2.75                    18.47
8         -56.186    0.90   1.80400   46.6   18.32
9          28.127    2.71   1.84666   23.9   18.53
10         276.913  (可変)                    18.60
11          46.292    1.20   1.80000   29.8   18.89   0.60187   0.00870
12(回折)    24.039    4.28   1.72916   54.7   18.67   0.54423  -0.00880
13(非球面)-108.549    1.00                    18.52
14(絞り)     ∞     (可変)                    18.16
15         -23.380    1.90   1.43387   95.1   19.06   0.53728   0.04975
16          32.166    2.45   1.73800   32.3   21.28   0.59029   0.00104
17          76.190  (可変)                    21.53
18       -1139.281    3.48   1.59282   68.6   21.91
19         -31.932    0.15                    22.44
20          76.442    5.08   1.48749   70.2   22.80
21         -25.183    1.00   1.80518   25.4   22.77
22         -69.739    0.15                    23.22
23          52.379    3.28   1.52249   59.8   23.26
24        -141.072  (可変)                    23.05
25        -101.414    1.10   1.77250   49.6   22.70
26          40.464    1.92                    22.45
27        -356.152    2.99   1.80518   25.4   22.50
28         -39.968    1.10   1.83481   42.7   22.82
29          84.565  (可変)                    23.59
30          90.930    5.12   1.59270   35.3   36.56
31         -97.437  (可変)                    36.92
像面         ∞   
【０１１４】
非球面データ
第12面(回折面)
C 2=-1.13443e-004  C 4= 5.58579e-007  C 6=-1.41238e-008  C 8= 8.59807e-011
第13面
K = 6.29842e+000  A 4= 6.15032e-007  A 6= 1.91106e-008  A 8=-1.45408e-010
A10= 7.02840e-014  
各種データ
ズーム比      4.00 
広角     中間     望遠
焦点距離      72.50   135.00   289.99  
Fナンバー      4.44     5.04     5.85  
半画角（度）  16.62     9.10     4.27  
像高          21.64    21.64    21.64  
レンズ全長   143.91   177.69   203.15  
BF            39.10    39.10    39.10  
d 2            0.15     7.06     6.00  
d 5            1.30    28.17    54.69  
d10            9.90     6.01     1.20  
d14            4.03    13.07    21.89  
d17           10.67     5.51     1.50  
d24           16.46    14.31     1.30  
d29            3.00     5.15    18.16  
d31           39.10    39.10    39.10  
入射瞳位置    33.24   112.83   262.97  
射出瞳位置   -43.34   -50.42   -97.38  
前側主点位置  41.98    44.25   -63.21  
後側主点位置 -33.40   -95.90  -250.89  
最至近位置(無限遠時を基準とした像面から1400mm)での各群間隔
d 2            0.15     7.06     6.00  
d 5            1.30    28.17    54.69  
d10            9.90     6.01     1.20  
d14            4.03    13.07    21.89  
d17           10.67     5.51     1.50  
d24           17.26    16.91    10.44  
d29            2.20     2.55     9.02  
d31           39.10    39.10    39.10  
ズームレンズ群データ
群  始面    焦点距離  レンズ構成長  前側主点位置  後側主点位置
1    1     160.73         5.42        -0.83         -4.43
2    3     418.34        10.24       -11.47        -17.62
3    6     -31.33         7.46         2.22         -3.03
4   11      47.64         6.48         0.92         -3.27
5   15     -52.87         4.35         0.73         -1.96
6   18      28.18        13.14         4.19         -4.66
7   25     -24.34         7.10         1.67         -2.98
8   30      80.17         5.12         1.57         -1.68
単レンズデータ
レンズ  始面  焦点距離
1       1    160.73
2       3   -114.98
3       4     87.78
4       6    -65.40
5       8    -23.20
6       9     36.79
7      11    -64.05(回折光学素子を除いたレンズ単体の値)
8      12     27.36(回折光学素子を除いたレンズ単体の値)
9      15    -30.89
10      16     73.69
11      18     55.35
12      20     39.50
13      21    -49.45
14      23     73.53
15      25    -37.32
16      27     55.68
17      28    -32.38
18      30     80.17
ΔθgF＝θgF−（−1.61783×10-3×νｄ＋0.64146）
なる式で定義されるものである。
【０１１５】
【表１】
2014089385.tif 000008
【０１１６】
表中の「--」とは、その数値実施例には該当しない条件式であることを表わす。
【０１１７】
以上、本発明の好ましい実施形態について説明したが、本発明はこれらの実施形態に限定されず、その要旨の範囲内で種々の変形及び変更が可能である。
【０１１８】
次に本発明のズームレンズを撮像装置（カメラシステム）に適用した実施例を図１３を用いて説明する。図１３は一眼レフカメラの要部概略図である。図１３において、１０は実施例１〜６のいずれか１つのズームレンズ１を有する撮像レンズである。ズームレンズ１は保持部材である鏡筒２に保持されている。
【０１１９】
２０はカメラ本体である。カメラ本体２０は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【０１２０】
７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。このように実施例１〜６のズームレンズを写真用カメラや、ビデオカメラ、デジタルスチルカメラ等の撮像装置に適用することにより、小型で高い結像性能を有する撮像装置を実現している。尚、本発明のズームレンズはクイックリターンミラーのない撮像装置にも適用することができる。
【０１２１】
次に本発明のズームレンズを投射用装置（プロジェクター）（光学機器）に適用した実施形態を図１４を用いて説明する。
【０１２２】
同図は本発明のズームレンズを３板式のカラー液晶プロジェクターに適用し、複数の液晶表示素子に基づく複数の色光の画像情報を色合成手段を介して合成し、ズームレンズでスクリーン面上に拡大投射する画像投射装置を示している。図１４においてカラー液晶プロジェクター１００は、Ｒ、Ｇ、Ｂの３枚のパネル、５Ｒ、５Ｇ、５ＢからのＲＧＢの各色光を色合成手段としてのプリズム２００で１つの光路に合成している。そして前述したズームレンズより成る投射レンズ３００を用いてスクリーン４００に投影している。
【０１２３】
このように数値実施例１〜６のズームレンズを一眼レフカメラやデジタルカメラ、プロジェクター等に適用することにより、高い結像性能を有する光学機器を実現することができる。
【符号の説明】
【０１２４】
Ｌ０  ズームレンズ      Ｌ１  第１レンズ群      Ｌ２  第２レンズ群
Ｌ３  第３レンズ群      Ｌ４  第４レンズ群      Ｌ５  第５レンズ群
Ｌ６  第６レンズ群      Ｌ７  第７レンズ群      Ｌ８  第８レンズ群
ＬＮ  レンズ群ＬＮ      ＬＡ  レンズ群ＬＡ      ＬＢ  レンズ群ＬＢ
ＳＰ  開口絞り      ＤＯＥ  回折光学素子        Ｄ  回折光学部
【図１】
2014089385.tif 000009
【図２】
2014089385.tif 000010
【図３】
2014089385.tif 000011
【図４】
2014089385.tif 000012
【図５】
2014089385.tif 000013
【図６】
2014089385.tif 000014
【図７】
2014089385.tif 000015
【図８】
2014089385.tif 000016
【図９】
2014089385.tif 000017
【図１０】
2014089385.tif 000018
【図１１】
2014089385.tif 000019
【図１２】
2014089385.tif 000020
【図１３】
2014089385.tif 000021
【図１４】
2014089385.tif 000022
【図１５】
2014089385.tif 000023